(57)【要約】【課題】隣人などの周辺住人に対して迷惑をかける度合いや可能性が従来よりも低く、自然な生活音を再現することが従来よりも容易で見破られ難い防犯装置を実現すること。【解決手段】記憶媒体５３には、本発明の生活音を記憶する。この記憶媒体５３には、ＣＡＴＶ通信網８０から配信されてきた生活音を記憶しておくことができる。これらの生活音を提供する提供元は任意で良い。ドアや襖の開け閉めの音、廊下や階段などでの足音、戸棚や引き出しなどの物の出し入れの音、調理風景の音、食器洗い、洗濯、掃除などのその他の家事に伴う音、或いは、トイレのフラッシングの音等々。即ち、通常の一般的な生活において、自然に発生される音を用いる。これにより、単発的若しくは不連続な生活音によって人の存在が擬装されるので、隣人などの周辺住人に迷惑が掛かり難く、なおかつ、リアルで見破られ難い生活音を生成することができる。【選択図】図１
2006039632.tif 000002
【特許請求の範囲】
【請求項１】
屋内又は家屋周辺に人が居ることを擬装する擬装音を出力する擬装音出力手段を有する防犯装置において、
前記擬装音出力手段は、
屋内又は家屋周辺に居る人の日常生活行動に伴って自然に発生する音である生活音を録音した記憶媒体を有する
ことを特徴とする防犯装置。
【請求項２】
屋内又は家屋周辺に人が居ることを擬装する擬装音を出力する擬装音出力手段を有する防犯装置において、
前記擬装音出力手段は、
屋内又は家屋周辺に居る人の日常生活行動に伴って自然に発生する音である生活音を受信する受信装置を有する
ことを特徴とする防犯装置。
【請求項３】
前記受信装置は、所定のデータ通信網を介して、
リアルタイム処理、又は、バッチ処理により
前記生活音を受信する
ことを特徴とする請求項２に記載の防犯装置。
【請求項４】
所定の領域内に侵入した侵入者を検出する侵入者検出手段と、
前記侵入者検出手段から出力された検出信号に基づいて、前記生活音の再生パターンを制御する生活音構成制御手段と
を有する
ことを特徴とする請求項１乃至請求項３の何れか１項に記載の防犯装置。
【請求項５】
所定の領域内に侵入した侵入者を検出する侵入者検出手段と、
前記侵入者検出手段から出力された検出信号に基づいて、前記侵入者の撮影を開始する撮影手段と、
前記撮影手段によって撮影された前記侵入者の撮像データを記録または外部伝送する撮像データ出力手段と
を有する
ことを特徴とする請求項１乃至請求項４の何れか１項に記載の防犯装置。
【請求項６】
所定の領域内に侵入した侵入者を検出する侵入者検出手段と、
前記侵入者検出手段から出力された検出信号に基づいて、前記侵入者に犯罪を断念する様に諭すメッセージを自然言語で伝える警告手段と
を有する
ことを特徴とする請求項１乃至請求項５の何れか１項に記載の防犯装置。
【請求項７】
前記警告手段は少なくとも、
前記侵入者が撮影されていることか、または、
前記侵入者の撮像データが既に記録または外部伝送されていること
を前記侵入者に伝える
ことを特徴とする請求項６に記載の防犯装置。
【発明の詳細な説明】
【技術分野】
【０００１】
本発明は、空き巣狙いなどの賊の侵入、物損、盗難などを未然に防止するための防犯装置に関する。
【背景技術】
【０００２】
空き巣狙いなどの賊の侵入、物損、盗難などを未然に防止するための防犯装置としては、例えば、下記の特許文献１や、或いは下記の特許文献２などに記載されているものが公知である。
特許文献１に記載されている装置は、テレビやラジオなどの通常の電気製品を用いて容易に構成したり使用したりすることができるもので、これらの電気製品によって屋内に人が居る状況を擬似的に再現しようとするものである。
【０００３】
また、特許文献２に記載されている装置は、事前に録音された会話音声を再生することによって、居住者の存在を自然かつリアルに擬装しようとするものである。
【特許文献１】特開平８−３６６８６
【特許文献２】特開平１１−２０３５７９
【発明の開示】
【発明が解決しようとする課題】
【０００４】
一般に、不法侵入が実行される際に、防犯装置のスピーカーから流れ出る生活擬装音の音量が小さ過ぎると、その音声に対して、賊に侵入の早期段階では気付いてもらえないことがあり、例えばこの様な場合には、家屋の窓ガラスを割られるなどの器物破損の被害を被り易い。したがって、この様な被害を嫌い、被害を最小限に留めることを切望するユーザは、幾らか外部に擬装音が漏れ出る程度の音量設定を好む傾向にある。玄関のドアの前などで耳を澄ますと聞こえてくる程度に擬装音の音量を設定しておけば、その様な被害をも未然に防止できる可能性が高くなるためである。
【０００５】
しかしながら、上記の特許文献１に記載されている従来技術に従って、テレビやラジオの番組を長時間に渡って外部へも聞こえる程度の音量で流し続けると、テレビやラジオの番組は通常音量が略一定であり、かつ、それらの音声は殆ど間髪無く連続的に流されるため、上記の特許文献１に記載されている従来技術の利用自体が、近所迷惑となる問題が派生する。
また、特に、集合住宅などにおいては、玄関外の共有通路への擬装音の伝播量よりも上下左右などの隣接宅への音漏れ量の方が大きくなってしまう場合も少なくないので、これらの問題は顕著になり易い。
【０００６】
また、例えば侵入者の検出を契機に擬装音の出力を開始する防犯装置の場合などでは、この様な従来技術の欠点は、侵入者の検出頻度によっては非常に表面化或いは顕在化し易くなる。例えば留守中であるか否かに係わらず平素から来客や訪問者が多い家庭などにおいては、特に上記の様な音漏れによる近所迷惑の問題が生じ易い。
また、特に集合住宅などにおいては、玄関前の共有通路の通行者の多い場合にも問題となり易い。また、例えば猫などの動物に反応するなどして多少なりとも誤動作する可能性がある侵入者検知装置を有する防犯装置を利用せざるを得ない場合などにも大きな問題となり易い。
【０００７】
また、これらの問題を顕著にしてしまう原因の一つには、テレビやラジオで放送される番組に関する基本的な性質がある。通常、テレビやラジオの番組は、３０分乃至１時間程度の単位で組み立てられている場合が多く、隣人等の周囲の住人の立場に立って考える時、一般の視聴者もその程度の時間は、その番組を視聴し続けるであろうと予想することが自然である。更に、一旦、テレビやラジオの番組が視聴され始めると、屋外へ流される音声は機械（テレビやラジオ等）から発生されるものであるので、その音声発生形態は必ず連続的かつ継続的な様相を呈して長時間続く可能性を予感させ、また、その終了時刻を予想することも困難である。
【０００８】
即ち、隣人等の周囲の住人の立場に立って考える時、テレビやラジオによる擬装音が一旦流れ始めると、「番組放送の視聴がしばらくすれば中止されるであろう。」などといった期待を抱くことは難しく、むしろ「番組放送の視聴が今から長時間続くかもしれない。」などといった強い恐れさえ感じさせられる場合が少なくなく。したがって、この様な音声発生手段を用いることは、たとえ実際には十分に短時間であっても、周囲の住人に対する精神的な圧迫感は、時として予想以上に大きなものとなってしまうことがある。
【０００９】
この様に、機械的な連続性や長時間にわたる継続性を明確に予感させる様な音声出力手段を用いることは、社会的に許され難い場合が少なくなく、たとえ実際の音声出力時間が十分に短くても、周囲の住人に対して予想以上に多大な迷惑を掛ける結果となり易い。
よって、その様な防犯装置の使用に当たって隣人などからの十分な理解を得ることは必ずしも容易とは言えない。
【００１０】
また、これらの様な問題は、侵入者検知装置などとの連動を取らずに留守中の間中継続的にずっと擬装音を流し続ける形態を採用する場合や、或いはそうでなくとも、特に深夜や早朝などには極めて深刻となり易い。したがって、少なくとも集合住宅などにおいては、これらの従来装置の適用は不適切と言わざるを得ない。
また、数日間家屋を空けて留守にする場合、テレビやラジオを２４時間視聴し続ける擬装形態を取ると不自然さが顕著になり、逆に、その家屋が留守宅であることを賊に教えてしまう結果となり易く望ましくない。
【００１１】
また、例えば１分程度と言った短時間だけその様な音声出力手段を用いていたのでは、不法侵入者によってその様な防犯手段の存在を容易に見破られてしまう可能性が高い。なぜならば、その様に短時間のテレビやラジオの番組視聴形態は極めて不自然であり、また、その様な音を外部に漏らしておくと、賊は、侵入目的の家屋の周辺で立ち止まって短時間その出力音声の様子を見極めるなどするだけで、簡単にその様な不自然さに気付くことができるからである。
【００１２】
また、これらの事情は、ＣＤプレーヤー等を用いた場合にも、概ね同様である。また、前にも述べた様に、不法侵入が実行される際に、スピーカーから流れ出る音声の音量が小さ過ぎると、その音声に対して、賊に侵入の早期段階では気付いてもらえないなどの問題が生じてしまうことも少なくない。この場合、玄関や出入り口のドアをこじ開けられたり、窓ガラスを割られたりする被害を被ることが多い。
即ち、特許文献１に記載されている従来技術を採用する場合、テレビやラジオを使って出力する音声の出力時間や音量などを最適化することは極めて困難であり、何れの場合においても上記の何れかの問題が発生する恐れが非常に大きい。
【００１３】
また、上記の特許文献２にも記載されている様に、侵入者検知時に、録音された会話をスピーカーから流すなどの手段が公知である。しかしながら、会話音声だけで住人の生活音をリアルに演出、再現するためには、極力人為的な様相を排除して自然な会話音声を録音しなければならないなどの問題が残る。
【００１４】
例えば、住人の家族構成は、下見などの事前調査や表札などによって事前に知られてしまうことが多く、録音された会話に参加している人員構成と、実際の住人の家族構成との間の整合性を保証することが必ずしも容易ではないため、自然な会話音声を提供することも必ずしも容易ではない。
【００１５】
また、上記の特許文献２にも記載されている様に、事前に録音されている数種類の会話を選択し、それらを利用するだけでは、諸般の防犯装置に関する一定以上の知識を有する賊には、事前にその会話の具体的な内容や声の特徴などを非常に簡単に憶えられてしまう可能性が高い。このため、数種類の会話の中から実際に使用すべき会話を選択して利用するだけでは、逆に、該当宅が留守宅であることを、不本意ながらも自ら賊に対して教えてしまう結果となる恐れが大きい。
【００１６】
また、この様な問題は、上記の特許文献２にも記載されている様に、住人自らがその会話音声を制作（録音）することによって、一見解決可能であるかに見える。しかし、該当宅の家族構成はもとより、その使用場所周辺における地域性や、時節柄や１日の内の時間帯などの種種の状況の何れにも見合った、十分に現実味のある文章（会話文）を具体的に検討して構成し、ユーザ自らその会話を演出し、同時に録音して、それらを常時幾通りも用意しておくことは、一般ユーザにとっては必ずしも容易ではないため、その様な方式を採用する場合、その防犯装置の商品としての本質的な付加価値や、或いは利用容易性などの点で非常に問題が大きい。
【００１７】
また、会話による音声だけで、賊に察知されない程度にリアルな生活音を演出、再現することには、自ずと限界がある。例えば、未明の３時や４時頃に、どのような長さや内容の会話があり得るのかなどを考えれば、その不自然さは否めない。即ち、その時間帯に対して不自然な会話を再生していたのでは、賊に擬装音であることに気付かれ、その様な音声出力手段を有する防犯装置が設置されていることを見破られてしまう可能性が高い。
【００１８】
本発明は、上記の課題を解決するために成されたものであり、その目的は、隣人などの周辺住人に対して迷惑をかける度合いや可能性が従来よりも低く、自然な生活音を再現することが従来よりも容易で、かつ、賊に人工的な音声出力であることが察知され難い防犯装置を実現することである。
【００１９】
また、本発明の更なる目的は、賊が建造物に侵入した際に、器物破損、物色、盗難等の被害を最小限に留めるのに有用な防犯装置を実現することである。
ただし、上記の個々の目的は、本発明の個々の手段の内の少なくとも何れか１つによって、個々に達成されれば十分であって、本願の個々の発明（下記の個々の手段）は、上記の全ての課題を同時に解決する具体的実施形態が存在することを必ずしも保証するものではない。
【課題を解決するための手段】
【００２０】
上記の課題を解決するためには、以下の手段が有効である。
即ち、本発明の第１の手段は、屋内又は家屋周辺に人が居ることを擬装する擬装音を出力する擬装音出力手段を有する防犯装置において、その擬装音出力手段に、屋内又は家屋周辺に居る人の日常生活行動に伴って自然に発生する音である生活音を録音した記憶媒体を備えることである。
ただし、記憶媒体の形態は任意で良い。
【００２１】
また、本発明の第２の手段は、屋内又は家屋周辺に人が居ることを擬装する擬装音を出力する擬装音出力手段を有する防犯装置において、その擬装音出力手段に、屋内又は家屋周辺に居る人の日常生活行動に伴って自然に発生する音である生活音を受信する受信装置を備えることである。
ただし、この防犯装置に対して生活音を送信する外部局は、任意に設定して良い。例えば、この防犯装置の製造元などから、一般的な通信メディアを介してこの防犯装置に対して送信する様にしても良い。
【００２２】
また、本発明の第３の手段は、上記の第２の手段において、上記の受信装置で所定のデータ通信網を介して、リアルタイム処理又はバッチ処理により上記の生活音を受信することである。このデータ通信網は、ＬＡＮでもＷＡＮでも良い。或いは、例えばＣＡＴＶ通信網などにしばしば見られる様な、その両者が複合された複合形態のデータ通信網などであっても良い。
【００２３】
ただし、ここで、バッチ処理とは、ユーザが利用する生活音を事前にまとめて受信しておく処理を言う。また、リアルタイム処理とは、防犯装置の稼働時に必要に応じて、必要とされる生活音を実時間で受信する処理を言う。
【００２４】
また、本発明の第４の手段は、上記の第１乃至第３の何れか１つの手段において、所定の領域内に侵入した侵入者を検出する侵入者検出手段と、この侵入者検出手段から出力された検出信号に基づいて上記の生活音の再生パターンを制御する生活音構成制御手段とを備えることである。
ただし、上記の生活音の再生パターンには、生活音の出力の有無をも含む。また、上記の所定の領域は、任意に設定することができる。その領域は屋内でも屋外でも良い。ただし、プライバシーや肖像権などに関する法律に特段触れる恐れがなく、かつ、誤検出の可能性が十分に抑制できる適当な監視領域を定義して設定しておくことが望ましい。
【００２５】
本発明の生活音は、例えば、数秒、数分、数時間、或いは１日などと言った所定の長さの、日常生活を営む人の行動に伴う音からなる基本ユニットから構成することが可能である。或いは、足音、ドアを閉める音、トイレのフラッシング音などのひと纏まりの音をそれぞれ１つずつ基本ユニットとしても良い。これら多数の基本ユニットの中から再生すべき基本ユニットを選択したり、或いはこれらの基本ユニットの再生順序や各間（無音の時間）の長さなどを制御するなどすることにより、上記の生活音の再生パターンを構成制御することが可能である。
或いは、単に、留守状態が開始される時刻だけに基づいて、その時刻から開始される２４時間周期の生活音の再生パターンを選択する様にしても良い。
【００２６】
また、本発明の第５の手段は、上記の第１乃至第４の何れか１つの手段において、所定の領域内に侵入した侵入者を検出する侵入者検出手段と、この侵入者検出手段から出力された検出信号に基づいて侵入者の撮影を開始する撮影手段と、この撮影手段によって撮影された侵入者の撮像データを記録または外部伝送する撮像データ出力手段とを備えることである。
【００２７】
ただし、上記の撮像データを外部伝送する際の外部局は複数あっても良い。通常は、セキュリティー会社や集合住宅の管理人や、或いは信用できる隣人、知人、友人などの何れかをこの外部局として設定する。また、この外部局は必ずしも固定局である必要はない。例えば、自分の携帯電話や自分の家族の携帯電話などに通知する様にしても良い。即ち、上記の撮像データは、有線、無線を問わず、任意の通信メディアを介して、任意の者に対して外部伝送して良い。
また、侵入者の撮像データを記録する際に用いる記憶媒体も任意で良い。
【００２８】
また、本発明の第６の手段は、上記の第１乃至第５の何れか１つの手段において、所定の領域内に侵入した侵入者を検出する侵入者検出手段と、この侵入者検出手段から出力された検出信号に基づいて、侵入者に犯罪を断念する様に諭すメッセージを自然言語で伝える警告手段を備えることである。
ただし、ここで用いる自然言語は、必要性や有用性が高いと思われる適当な任意の言語で良い。それにより、例えば、侵入者は自分の罪が重くならない内に早く退散した方が得策である旨を知らせる様にするなどすると良い。
【００２９】
また、本発明の第７の手段は、上記の第６の手段の警告手段において、少なくとも、侵入者が撮影されていることか、または、侵入者の撮像データが既に記録又は外部伝送されていることを侵入者に伝えることである。
ただし、この第７の手段を用いる場合、必ずしも侵入者を撮影する手段を備えている必要はない。即ち、この様な警告に用いるメッセージの内容は、必ずしも事実である必要はない。
以上の本発明の手段により、前記の課題を効果的、或いは合理的に解決することができる。
【発明の効果】
【００３０】
以上の本発明の手段によって得られる効果は以下の通りである。
即ち、本発明の第１または第２の手段によれば、単発的であったり不連続であったりする上記の生活音によって人の存在が擬装されるので、音量が略一定で、殆ど間髪無く連続的に流されるテレビやラジオの番組などとは異なり、隣人などの周辺住人に迷惑が掛かりにくく、なおかつ、リアルで見破られ難い生活音を構成することができる。
【００３１】
即ち、単発的或いは断続的な様相が強い自然発生的な生活音を利用することにより、如何にも住人が今そこで何らかの活動（生活）を営んでいると言う様子を自然に演出することができる。また、これらの音には、テレビやラジオの番組などの様な強い連続性や継続性を明確に予感させる様な様相が無いので、長時間継続される可能性を予感させる様な著しい圧迫感を周辺住民に与える恐れも少ない。したがって、自宅を長時間留守にしなければならない場合でも、留守中の間これらの生活音を継続的、若しくは半永久的に流しておいても、近所迷惑にはなり難い。
【００３２】
これらの音は、適当に組み合わせて用いることがより望ましい実施形態と言え、更に望ましくは、無音の時間などをも含めて、一連の音の強弱や有無などの流れに不自然さがない様に組み立てることが望ましい。
【００３３】
また、本発明の第３の手段によれば、上記の生活音を必要に応じて、随時更新することが非常に容易となる。用いる生活音の種類が少ないと、その内容や特徴などを何者かに憶えられてしまう恐れが必ずしも十分には払拭することができないが、例えばケーブルテレビ会社などが定期的にそれらの生活音の種類を増やしたり、内容を変更したりして提供すれば、防犯装置ユーザは常時新しい生活音を選択して利用することができる。また、この様な選択や更新は、契約内容に応じて自動的に実行しても良い。
【００３４】
また、ＣＡＴＶ通信網が有する、ローカルエリアネットワークを利用すれば、例えば友人宅の生活音をそのままリアルタイムで自宅に導入することも可能となる。この場合、リアルタイム処理により、友人宅から生活音が送信される時間帯と自宅でその生活音が再生される時間帯とが一致するので、家族構成が似ている送信者（友人）さえ決めておけば、極めてリアルな生活音を再現（：オンライン放送）することも可能となる。
また、その様な生活音をケーブルテレビ会社などが自ら提供する様にしても良い。
【００３５】
また、本発明の第４の手段によれば、多数の基本ユニットの中から再生すべき基本ユニットを選択したり、或いはこれらの基本ユニットの再生順序や各間（無音の時間）の長さなどを適当に制御したりすることにより、上記の生活音の再生パターンを構成制御することができる。
或いは、単に、留守状態が開始される時刻だけに基づいて、その時刻から開始される２４時間周期の生活音の再生パターンを選択する様にしても良い。
【００３６】
したがって、本発明の第４の手段によれば、該当宅の家族構成はもとより、その使用場所周辺における地域性や、時節柄や１日の内の時間帯や、或いは時にはその日の天候などの種種の状況の何れにも見合った、十分に現実味のある生活音をリアルタイムに構成することができる。
【００３７】
また、この様な生活音構成制御手段は、装置構成上物理的には、所定の外部局上に設ける様にしても良い。また、その様な外部局としてケーブルテレビ会社などが直接介入する様にしても良い。また、例えば、上記の様な基本ユニットの再生順序や各生活音の間などを規定したプログラムをケーブルテレビ会社などが配信する様にしても良い。この様なプログラムを定期的に更新したり追加したりすれば、ユーザは常時新しい生活音をそれらのプログラムに従って自動的に再構成して利用することができる。
【００３８】
また、この様なビジネスモデルの構成形態は任意で良く、受信側（ユーザ側）と所望の適当な生活音を構成して配信する配信者との間の契約内容に応じた、適当な任意のビジネスモデルを構成すれば良い。
【００３９】
また、本発明の第５の手段によれば、盗難などの事件が発生した場合に、少なくとも侵入者の撮像データを警察などに提供することにより、賊の捜査に協力することができ、再犯の防止に繋がる。また、侵入者の撮像データをセキュリティー会社などにリアルタイムで伝送すれば、盗難を未然に防止または阻止できる場合もある。また、勿論、その様な機能を備えるだけでも、賊が撮影手段の存在に気がつけば防犯の効果は大きくなる。
また、侵入者の検出信号に基づいて、撮影が開始されるので、記憶媒体の使用効率を高く確保することができる。
【００４０】
また、本発明の第６の手段によれば、賊は自然言語によって適時に退散を促されるので、賊の侵入や器物破損、物色、窃盗などをできるだけ早い段階で断念させることができ、若しくは、少なくともその断念の可能性をより高めることができる。したがって、被害を最小限にくい止めることができる。
【００４１】
また、本発明の第７の手段によれば、侵入者は自分の撮像データと言う極めて有力な物的証拠を防犯装置に握られてしまったことを悟るので、罪が重くならない内に早く退散した方が得策であると言う考えに、その侵入者を効果的に導くことができ、若しくは、少なくともその犯行を強行しようとする可能性をより低く抑えることができる。したがって、被害を最小限にくい止めることができる。
【００４２】
なお、この様な警告メッセージは、必ずしも真実である必要はなく、例えばセキュリティー会社と何ら契約を交わしていない場合においても、その撮像データが既に所定のセキュリティー会社に転送されている旨をその侵入者に伝える様にしても良い。
【発明を実施するための最良の形態】
【００４３】
本発明の生活音としては、連続性や継続性を強く予感させる音声は望ましくなく、発生パターンや音の大小などが比較的不規則であったり、或いは単発的であったりすることの方がむしろ望ましい。より具体的には、例えば以下の様な物音などが考えられる。
【００４４】
（生活音の例１）
ドアや襖の開け閉めの音、廊下や階段などでの足音、戸棚や引き出しなどの物の出し入れの音、調理風景の音（例えば、まな板と包丁の音、電子レンジなどの調理器具の音、笛吹きケットルの音、冷蔵庫のドアの開け閉めの音など）、食器洗い、洗濯、掃除などのその他の家事に伴う音、或いは、トイレのフラッシングの音や、物が床に落ちた音等々。即ち、通常の一般的な生活において、自然に発生される音を用いることが望ましい。
【００４５】
（生活音の例２）
また、口笛、鼻唄、独り言、咳、クシャミなどの音声でも良い。これらの音声には、特段の脈略がないのでその意味的繋がりなどの構成に頭を悩ます必要がない。また、これらの音声には、特段の深い意味がなく癖などによって殆ど無意識の内に発生される形態の音に近いので、その繰り返し間隔さえ短か過ぎなければ、何回繰り返しても不自然さが生じない。
【００４６】
（生活音の例３）
また、電話で話す音声でも良い。電話の場合、通常の会話とは全く様相が異なり、相手方の音声が何ら必要ない点が大きな特徴である。これにより、返事だけを繰り返していても特段の不自然さが生じない。また、これにより、通常の会話の様な脈略や内容（文意）を排除することも容易となり、意味的繋がりなどの構成に頭を悩ます必要もない。また、電話の場合、しばらくの間無音であったり、小さな返事しかなかったりしても、相手方が話していると判断されるので不自然さが生じず、断続的な音声列を自然に構成することができる。また、急に笑いだしたり、感嘆したりしても不自然さが無い。また、電話の呼び出し音は、呼び出し回数や音量を適度に設定すれば近所迷惑にはなり難いので、上記の電話での音声との組み合わせは非常に有効となる。
【００４７】
即ち、以上の様な音声は繰り返しても全く不自然さが生じず、よって、過去に何度か聞いたことがある音声であっても、通常の会話とは異なり、擬装とは判断され難い。また、これらの音声は一人でも発生することができる音であるので、擬装音の作製が非常に容易であり、なおかつ、家族構成との整合性も比較的簡単に取ることができる。独り暮らしの人も少なくないからである。
【００４８】
以上の様な単発的或いは断続的な様相が強い自然発生的な生活音を利用することにより、如何にも住人が今そこで何らかの活動（生活）を営んでいると言う様子を自然に演出することができる。
【００４９】
これらの音は、適当に組み合わせて用いることがより望ましい実施形態と言え、更に望ましくは、その組み合わせや無音の時間などの一連の音の強弱や有無などの流れに不自然さがないことが、これらの生活音を構成する上で肝要となる。
また、屋内の照明状態などとの関連や連動を特段の矛盾を来さない様に適当に図ると、更に自然な日常生活の擬装を演出することができるのでより望ましい。
【００５０】
以下、本発明を具体的な実施例に基づいて説明する。
ただし、本発明の実施形態は、以下に示す個々の実施例に限定されるものではない。
【実施例１】
【００５１】
図１は、本実施例１の防犯装置１００のシステム構成を示すブロック図である。この防犯装置１００は、マイクロコンピュータ１０を中心に構成されている。ＣＰＵ，ＲＯＭ，ＲＡＭなどの情報処理装置や入出力チャネルなどの外部とのインターフェイス部を有する。出力アンプ２０は、マイクロコンピュータ１０の制御に基づいて本発明の擬装音出力手段や、或いは本発明の警告手段を実現する。
【００５２】
侵入センサ３０は、周知の機構を有するものであり、複数の赤外線センサなどから構成されている。カメラ４０は、マイクロコンピュータ１０からの撮影指令に基づいて、侵入者が居ると思われる所定の範囲の画像を撮影する。また、カメラ４０は、ＤＣサーボモータを備えており、マイクロコンピュータ１０からの首振り制御指令に基づいて、撮像範囲を実時間で変更したり調整したりすることができる。カメラ４０が撮影した侵入者の撮像データは、パソコン５０に入力される。このパソコン５０は、本発明の撮像データ出力手段や、或いは本発明の受信装置などを具現するものである。
【００５３】
パソコン５０が具備する中央演算処理装置５１はＣＰＵなどから構成されているが、このパソコン５０には、図略の入出力チャネルや通信モデムなども勿論備えられている。
パソコン５０が具備する記憶媒体５２は、上記の撮像データを記録するものである。また、記憶媒体５３には、本発明の生活音を記憶する。この記憶媒体５３には、ＣＡＴＶ通信網８０から配信されてきた生活音を記憶しておくことができる。生活音に付いては、後から具体的に言及するが、これらの生活音を提供する提供元は任意で良い。
【００５４】
また、ＣＡＴＶ通信網８０には、上記の撮像データを送信することが可能である。パソコン５０から侵入者の撮像データを送信する対象となる外部局としては、例えば信用できる知人や、契約済みの所定のセキュリティー会社等を設定しておくことが望ましい。
また、照明スイッチ６０は、屋内の照明器具に対する点灯／消滅を制御するためのものである。また、ディスプレイ５４は、記憶媒体５２に記憶された侵入者の撮像データを確認するためのものであり、勿論、パソコン５０を操作する際などにも利用することができる。
【００５５】
出力アンプ２０には、スピーカー２１が接続されており、このスピーカー２１からは、自然言語で構成された侵入者に対するメッセージ（警告音声）や、本発明に基づく上記の生活音が出力される。
侵入者に対するメッセージは、マイクロコンピュータ１０が内蔵する図略の内部記憶装置に記憶しておくことが望ましい。記憶しておくメッセージ（警告音声）としては、例えば以下の様な、更なる侵入や犯行を断念させるものが良い。ただし、これらのメッセージは、ドアや窓などから賊に侵入されそうな時、または侵入されてしまった時に出力することが望ましい。そのタイミングが早過ぎると、逆に、その家屋が留守宅であることを事前に賊に教えてしまう結果となり望ましくない。
【００５６】
（メッセージの例）
（例１）只今のあなたの映像は、既にセキュリティー会社に送信されています。
（例２）あなたは、現在、この敷地に対する不法侵入罪により、最高○○年の懲役刑に処せられる可能性があります。直ちにこの敷地から外に出て下さい。更に器物破損罪を犯すと最高○○年の懲役刑になる可能性があります。更に窃盗罪を犯すと最高○○年です。
【００５７】
図２に、上記のマイクロコンピュータ１０が実行するプログラム２００のフローチャートを例示する。このプログラム２００では、１日の内の各時間帯を以下の様に定義している。
【００５８】
（１日の内の各時間帯）
時間帯Ａ  ：    ８時〜１１時
時間帯Ｂ  ：  １１時〜１４時
時間帯Ｃ  ：  １４時〜１８時
時間帯Ｄ  ：  １８時〜２１時
時間帯Ｅ  ：  ２１時〜  ０時
時間帯Ｆ  ：    ６時〜  ８時
時間帯Ｇ  ：    ０時〜  ６時
【００５９】
例えば、時間帯Ａにおいては、所定の生活音ａ１を１５分間流す。この生活音ａ１は、上記の記憶媒体５３から直接読み出して、出力アンプ２０から再生させる様にしても良いし、予めマイクロコンピュータ１０が有する図略の内部記憶装置の側にバッファリングしておいても良い。この生活音ａ１の１５分間の内の例えば前後各１分ずつは、無音にしておくなどしても良い。この様な構成に従えば、ステップ２１５において次回に再生されるべき次の生活音ａ２との間の整合性を自然な形で確保することができる。
【００６０】
また、ステップ２１５では、所定の生活音ａｎ（ｎ＝１，２，３，．．．）を毎回、前回の生活音とは替えて例えば番号順にサイクリックに再生する。時間帯Ａに流すべき生活音は、例えばａ１，ａ２，ａ３の３通りだけでも良い。これにより、生活音が単調に繰り返されることが防止でき、擬装が見破られ難くなる。その他のステップ２２５、ステップ２３５、ステップ２４５でも同様にすれば良い。
また、出力すべき生活音（擬装音）の音量は、上記の様な各時間帯によって変えても良い。現場の生活環境における喧騒の度合いは時間帯によって異なる場合が多いため、それによって、生活音の音量を調節する様にしても良い。これにより、近所迷惑に関して配慮することもできる。
【００６１】
なお、上記の時間帯Ｅ，Ｆ，Ｇなどでは、生活音ｅｎや生活音ｆｎ（ｎ＝１，２，３，．．．）などの長さを２〜１０分程度と比較的短く設定しておく。また、これらの深夜、未明若しくは早朝などの時間帯では生活音は、繰り返し出力するのではなく、必要に応じて、即ち、侵入者が検出された際に限定して出力する。これは、近所迷惑に対する配慮だけでなく、これらの時間帯は人の活動も比較的低下している時間帯だからである。例えばこのような設定によっても、自然な生活音（擬装音）を演出することができる。
【００６２】
ステップ２５０やステップ２６０は、その様な個別の時間帯を区別するための工夫である。即ち、ステップ２５０では、外部割り込み及びタイマー割り込みに対する割り込み待ちをする。この外部割り込みは、侵入センサ３０からのものである。また、タイマーは上記の時間帯Ａの開始時刻である８時にセットしておく。この様な設定により、深夜、未明若しくは早朝などの時間帯では生活音は、上記の様に必要に応じて出力され、一方、上記のＡ〜Ｄの時間帯では、生活音は各基本ユニット（ａ１、ａ２、、、ｄ３など）がそれぞれ上記の順序でサイクリックに繰り返し出力される。
【００６３】
なお、各生活音の基本ユニットａ１、ａ２、、、ｇ３などは、例えば、前述の生活音の例１〜生活音の例３などを用いて、非常に自然かつ効果的に構成することができる。
以上の様な構成に従えば、隣人などの周辺住人に対して迷惑をかける度合いや可能性が従来よりも大幅に低く、自然な生活音を再現することが従来よりも容易で、かつ、賊に人工的な音声出力であることが察知され難い防犯装置を実現することができる。
したがって、上記の様な防犯装置を用いれば、侵入、器物破損、物色、盗難などによる被害を被る可能性を最小限に留めることができる。
【実施例２】
【００６４】
上記の実施例１では、各生活音の基本ユニットａ１、ａ２、、、ｇ３などは、例えば、前述の生活音の例１〜生活音の例３などを用いて事前に用意しておくものとしたが、これらの個々の基本ユニットの構成は、各々動的に実行することも可能である。
そこで、以下の実施例２では、その様な実施様態について例示する。
【００６５】
例えば本実施例２における生活音構成制御では、下記の様な音の小さな単位（例：生活音１〜５など）から動的に上記の生活音（例：図２の基本ユニットｇ１）を生成する。図３は、生活音の一つである図２の基本ユニットｇ１を動的に生成するプログラムＧ１を例示するフローチャートである。このプログラムＧ１は、本発明における生活音構成制御の制御手順の１例を例示するものである。
【００６６】
＜音の小さな単位＞
（生活音１）：襖を開け閉めする音。
（生活音２）：廊下を歩く音。
（生活音３）：ドア１を開け閉めする音。
（生活音４）：ドア２を開け閉めする音。
（生活音５）：トイレのフラッシング音。
【００６７】
これらの音の小さな単位（例：生活音１〜５など）は、予めマイクロコンピュータ１０の側に常備しておき、プログラムＧ１だけを動的に、例えばセキュリティー会社やＣＡＴＶ配信会社などからＣＡＴＶ通信網８０を介して配信する様にしても良い。或いは、プログラムＧ１やこれらの音の小さな単位の何れをも、予め、パソコン５０（図１の記憶媒体５３）上に用意しておく様にしても良い。この様なビジネスモデルの構成形態は任意で良い。
【００６８】
図３のプログラムＧ１は、図２のステップ２９０において、生活音ｇ１が選択されて再生されるべきタイミングで、呼び出されて実行される。
図３のステップ３１０〜３２０の各ステップでは、上記の生活音１〜３を順次再生する。ステップ３２５では、例えば２秒程度の間を置く。次に、ステップ３４０では、上記の生活音４を再生する。この音は、トイレのドア（上記のドア２）を開閉する音に相当する。これらの音や間の組み合わせは、各家屋の大きさや間取りなどを考慮して、適当に構成すれば良い。
【００６９】
ステップ３４５では、図１の照明スイッチ６０をＯＮ状態にする。これにより、当該家屋のトイレの照明を点灯させる様にする。
次のステップ３５０では、例えば５０秒間の間を設ける。また、ステップ３５５では、上記の生活音５を再生する。
そして、ステップ３６０では、図１の照明スイッチ６０をＯＦＦ状態にする。これにより、当該家屋のトイレの照明を消灯させる様にする。
【００７０】
例えば、この様な生活音構成制御を図３のプログラムＧ１を用いて実現することが出きる。勿論、図２の生活音ｇ２や生活音ｇ３などについても略同様に、上記の様な動的な構成制御によって生成することができる。
また、この様な生活音は従来の会話とは異なり、深夜、未明若しくは早朝などに生成して再生しても、何ら不自然さがない。
【００７１】
侵入者に係わる検出レベルや検出頻度などの検出状態に応じた対応が要求される場合も少なくなく、それらの検出状態や、或いは防犯装置の稼働時刻（：現在時刻）などに応じて、生成すべき生活音は無数に考えられるが、随時最適な生活音を生成するために、常時無数の生活音を防犯装置に備えておくことには限界がある。
【００７２】
しかしながら、上記の様な方式に従えば、プログラムＧ１などのデータ容量は、音声のデータ容量よりも遥かに少なくて済むし、これらのプログラムは自動的に生成することも可能であるので、上記の様な方式に従えば、防犯装置に備えておく記録媒体の容量を効果的に抑制することが出きる。また、ユーザは、例えばセキュリティー会社やＣＡＴＶ配信会社などからＣＡＴＶ通信網８０を介して常時最新のプログラムを動的に受信することが出きるので、賊がこれらの生活音を記憶することに対する対抗処置としても効果が大きい。即ち、上記の様な方式に従えば、新しくて聞き覚えのない極めて自然な生活音を常時用意しておくことが可能となり、防犯装置側のシステム構成を小さく抑制することができ、なおかつ、音漏れの近所に対する迷惑も最小限に抑えることが出きる。
【００７３】
〔その他の変形例〕
本発明の実施形態は、上記の形態に限定されるものではなく、その他にも以下に例示される様な変形を行っても良い。この様な変形や応用によっても、本発明の作用に基づいて本発明の効果を得ることができる。
（変形例１）
例えば、上記の実施例１では、マイクロコンピュータ１０とパソコン５０の双方に、防犯装置の制御に係わる各種の制御プログラムを配置して防犯装置１００を構成したが、本発明を実施するにあたっては、必ずしも複数台の中央演算処理装置（ＣＰＵ）を用いる必要はない。例えば、防犯装置を実現する応用プログラムや記憶媒体（必要とされる記憶容量）などを全てパソコン５０の側に用意、搭載する様にすれば、マイクロコンピュータ１０を省略したシステム構成を実現することも可能である。
【００７４】
即ち、この場合、マイクロコンピュータ１０を排除し、各入出力インターフェイスなどを整備することにより、パソコン５０だけで防犯装置内の全ての制御プログラムを実行する様にシステムを構成する。その様な構成に従えば、ＣＡＴＶに加入しているパソコンユーザは、そのパソコンやＣＡＴＶ通信網を有効に利用して、極めて安価に所望の防犯装置を構成することができる様になる。
【００７５】
（変形例２）
或いは、また、図１の記憶媒体５２，５３などは、マイクロコンピュータ１０の中に配置する様にしても良い。これらの各部をどのような単位にまとめるかは任意で良い。
したがって、例えば、マイクロコンピュータ１０と、出力アンプ２０と、侵入センサ３０と、カメラ４０などを一体の防犯装置としてまとめて、この単位で製造、販売する様にしても良い。
また、マイクロコンピュータ１０や出力アンプ２０や侵入センサ３０やカメラ４０或いはパソコン５０などは、必ずしも有線で相互に接続する必要はなく、よって、これらの間における制御信号やデータのやり取りは無線で実施しても良い。その様な無線通信を利用すれば、所定の家屋等に対する目的の防犯装置の構成や配設を大幅に容易にすることができる場合がある。
【００７６】
（変形例３）
また、上記の実施例１では、パソコン５０をＣＡＴＶ通信網８０に接続したが、本発明の防犯装置においては、必ずしも外部局と通信する必要はない。本発明に基づく生活音を記録した記憶媒体を用いれば、本発明の手段に基づいて、本発明の作用・効果を得ることができる。
また、利用する通信メディアは、例えばＣＡＴＶ通信網などの特定の形態のメディアに限定する必要はなく、任意の通信メディアで良い。例えばインターネット接続サービスを利用して適当なセキュリティー会社に接続すれば、２４時間常時接続サービスにより、比較的容易かつ安価に防犯システムを構成することもできる。
また、通信領域の広さも勿論大小も任意で良く、適当なＬＡＮやＷＡＮを想定することができる。
【産業上の利用可能性】
【００７７】
本発明は、防犯装置における擬装音を極めて自然な生活音から構成する技術に関する。また、本発明を利用すれば、例えばケーブルテレビ会社やセキュリティー会社などは、例えば上記の様に、従来よりも優れた防犯装置やセキュリティーシステムの提供者となるためのビジネスモデルを容易に構成することが可能となる。
【図面の簡単な説明】
【００７８】
【図１】実施例１の防犯装置１００のシステム構成を示すブロック図
【図２】マイクロコンピュータ１０が実行するプログラム２００のフローチャート
【図３】プログラムＧ１の生活音構成制御の制御手順を例示するフローチャート
【符号の説明】
【００７９】
１００  ：  防犯装置
２００  ：  プログラム
１０  ：  マイクロコンピュータ
２０  ：  出力アンプ（擬装音出力手段／警告手段）
３０  ：  侵入センサ（侵入者検出手段）
４０  ：  カメラ（撮影手段）
５０  ：  パソコン（撮像データ出力手段／受信装置）
５１  ：  中央演算処理装置（ＣＰＵ）
５２  ：  記憶媒体
５３  ：  記憶媒体
６０  ：  照明スイッチ
８０  ：  ＣＡＴＶ通信網
Ｇ１  ：  プログラム
【図１】
2006039632.tif 000003
【図２】
2006039632.tif 000004
【図３】
2006039632.tif 000005